(57)【要約】      （修正有）【課題】磁石を有さない装飾体を脱着自在に交換可能であり、装飾体が脱落する恐れの少ない装飾品を提供する。【解決手段】本体２と、装飾体と、前記本体に設けられており前記装飾体が取り付けられる取付部４と、前記取付部に前記装飾体を取り付けるための保持部材６と、前記取付４及び前記保持部材６にそれぞれ内蔵された第一の磁石８及び第二の磁石１０と、を具備し、前記第一の磁石と前記第二の磁石との磁気的な固着により、前記取付部に前記装飾体を着脱自在に取付け可能であること、を特徴として装飾品を形成する。【選択図】図１
0003181076.tif 000002
【実用新案登録請求の範囲】
【請求項１】
本体と、
装飾体と、
前記本体に設けられており前記装飾体が取り付けられる取付部と、
前記取付部に前記装飾体を取り付けるための保持部材と、
前記取付部及び前記保持部材にそれぞれ内蔵された第一の磁石及び第二の磁石と、
を具備し、
前記第一の磁石と前記第二の磁石との磁気的な固着により、前記取付部に前記装飾体を着脱自在に取付け可能であること、
を特徴とする装飾品。
【請求項２】
前記取付部が前記本体から突設した筒状部であり、
前記装飾体が前記筒状部を挿入可能な貫通孔を有し、
前記第一の磁石と前記第二の磁石との磁気的な固着により、前記装飾体を前記筒状部に着脱自在に取付け可能であること、
を特徴とする請求項１に記載の装飾品。
【請求項３】
前記保持部材が筒状形状を有しており、前記筒状部に前記装飾体を取り付けた状態で、前記保持部材と前記筒状部とが入れ子構造を形成するか、又は、前記保持部材と前記筒状部とが当接構造を形成すること、
を特徴とする請求項２に記載の装飾品。
【考案の詳細な説明】
【技術分野】
【０００１】
本考案は、装飾体を容易に取り替えることができて様々な態様を楽しむことのできる装飾品に関する。
【背景技術】
【０００２】
従来の指輪やペンダントトップ等の装飾品（「装身具」ともいう。）においては、装飾体が嵌合固定されているのが一般的であり、装飾体を取り替えるという概念に乏しいのが実情であった。このため、時、目的及び目的等、時々の状況に応じた装身具を身に付けたい場合、個々の装身具を数多く揃えて装身具の数を増やす必要があった。
【０００３】
これに対し、装飾体を装身具から脱着自在に交換可能とする手法が提案されている。例えば、特許文献１においては、装飾体に磁石片を固定し、装身具本体と装飾体とを磁気結合させる手法が開示されている。また、特許文献２においては、磁石片を固定した装飾体を装身具本体に形成させた凹部に嵌入させることで、より強力に装飾体を装身具本体に固着できることが提案されている。
【先行技術文献】
【特許文献】
【０００４】
【特許文献１】実開平２−１９３０８号公報
【特許文献２】実登３１２９９４２号公報
【考案の概要】
【考案が解決しようとする課題】
【０００５】
しかしながら、上記特許文献に開示されているような従来の装飾体の交換手法においては、装飾体そのものが磁石を有している必要があり、利用できる装飾体が制限されるという問題があった。また、上記特許文献における装飾体の取付け時の保持力は、基本的には磁石の磁力に依存しており、装飾体の脱落を防止するという観点からは未だ改善の余地があった。
【０００６】
そこで、本考案は、磁石を有さない装飾体を装身具から脱着自在に交換可能とし、装飾体が脱落するおそれのない装飾品の提供を目的とする。
【課題を解決するための手段】
【０００７】
上述した課題を解決すべく、本考案は、
本体と、
装飾体と、
前記本体に設けられており前記装飾体が取り付けられる取付部と、
前記取付部に前記装飾体を取り付けるための保持部材と、
前記取付部及び前記保持部材にそれぞれ内蔵された第一の磁石及び第二の磁石と、
を具備し、
前記第一の磁石と前記第二の磁石との磁気的な固着により、前記取付部に前記装飾体を着脱自在に取付け可能であること、
を特徴とする装飾品、
を提供する。
【０００８】
上記のような構成を有する本考案の装飾品では、
前記取付部が前記本体から突設した筒状部であり、
前記装飾体が前記筒状部を挿入可能な貫通孔を有し、
前記第一の磁石と前記第二の磁石との磁気的な固着により、前記装飾体を前記筒状部に着脱自在に取付け可能であること、
が好ましい。
【０００９】
更に、上記のような構成を有する本考案の装飾品では、
前記保持部材が筒状形状を有しており、前記筒状部に前記装飾体を取り付けた状態で、前記保持部材と前記筒状部とが入れ子構造を形成するか、又は、前記保持部材と前記筒状部とが当接構造を形成すること、
が好ましい。
【００１０】
なお、本考案の装飾品は、いわゆる装身具と呼ばれるものを含み、装飾のために人や動物（ペット）等が身につけるもの全般を対象とする。本考案の装飾品は、例えば、指輪、イアリング、ピアス、ネックレス、ペンダント（トップ）、ブローチ、カフスボタン、ネクタイピン、各種バックル等のアクセサリー、帯留め等の和装小物等を含むものである。
【考案の効果】
【００１１】
上記本考案の装飾品は、磁石による本体と保持部材との磁気的な固着によって、当該本体に設けられた取付部と当該保持部材との間に装飾体を脱着自在に取り付けることができる。また、本体に設けられた取付部を筒状部とすることにより、貫通孔を有する装飾体を当該筒状部に差し込むことができ、装飾体を本体に強固に保持させることが可能となる。
【図面の簡単な説明】
【００１２】
【図１】本発明の装飾品の第一実施形態の概略断面図である（但し装飾体を除く。）。
【図２】図１に示す装飾品における本体の概略断面図である。
【図３】図１に示す装飾品における保持部材の概略断面図である。
【図４】装飾体を保持する図１に示す装飾品の概略断面図である。
【図５】本発明の装飾品の第二実施形態の概略断面図である（但し装飾体を除く。）。
【図６】図５に示す装飾品における本体の概略断面図である。
【図７】図５に示す装飾品における保持部材の概略断面図である。
【図８】本発明の装飾品の第三実施形態の概略断面図である（但し装飾体を除く。）。
【図９】図８に示す装飾品における本体の概略断面図である。
【図１０】図８に示す装飾品における保持部材の概略断面図である。
【図１１】本発明の装飾品の第四実施形態の概略断面図である（但し装飾体を除く。）。
【図１２】図１１に示す装飾品における本体の概略断面図である。
【図１３】図１１に示す装飾品における保持部材の概略断面図である。
【図１４】本発明の装飾品の第五実施形態の概略断面図である（但し装飾体を除く。）。
【図１５】図１４に示す装飾品における本体の概略断面図である。
【図１６】図１４に示す装飾品における保持部材の概略断面図である。
【図１７】本発明の装飾品の第六実施形態の概略断面図である（但し装飾体を除く。）。
【図１８】図１７に示す装飾品における本体の概略断面図である。
【図１９】図１７に示す装飾品における保持部材の概略断面図である。
【考案を実施するための形態】
【００１３】
以下、本考案の代表的な実施形態に係る装飾品について、指輪を例として、図面を参照しつつ詳細に説明するが、本考案の装飾品が図示されるものに限られないことはいうまでもない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１４】
≪第一実施形態≫
図１は、第一実施形態における、本体２に保持部材６が固着した状態の装飾品を示している。本体２には取付部である筒状部４が一体的に突設されており、筒状部４の内側に保持部材６が嵌入されて、いわゆる入れ子構造を形成している。なお、筒状部４及び保持部材６の横断面は、円、三角形、正方形、長方形、星形等であってもよいが、ここでは、円であるものとして説明する。
【００１５】
また、本体２の取付部である筒状部４の内部には、第一の磁石（本体用磁石）８が固定されており、保持部材６の内部には、第二の磁石（保持部材用磁石）１０が固定されている。ここで、本体用磁石８及び保持部材用磁石１０は、両方が磁石であってもよく、また、いずれか一方が磁石で他方が当該磁石が固着し得る磁性体であってもよい。
【００１６】
本体用磁石８と保持部材用磁石１０とが共に磁石である場合、当該磁石の磁極に留意する必要があり、本体用磁石８と保持部材用磁石１０とが互いに引き合うように設置しなければならない。具体的には、本体用磁石８と保持部材用磁石１０との対向する面の磁極が異なるように配置する。
【００１７】
本体用磁石８及び保持部材用磁石１０に用いる磁石としては、本考案の効果を損なわない範囲で従来公知の種々の磁石を用いることができるが、例えば、フェライト磁石、ネオジウム磁石、サマリウムコバルト磁石、アルニコ磁石等を用いることができる。価格の観点からは、安価な汎用のフェライト磁石を用いることが好ましい。
【００１８】
本体用磁石８及び保持部材用磁石１０として磁性体を用いる場合、当該磁性体としても本考案の効果を損なわない範囲で従来公知の種々の磁性体を用いることができる。当該磁性体としては、例えば、オーステナイト系を除く各種ステンレス鋼（フェライト系ステンレス鋼、二相ステンレス鋼、マルテンサイト系ステンレス鋼）や炭素鋼を用いることができる。
【００１９】
上述の通り、本体２と保持部材６との固着には、磁石同士又は磁石と磁性体との間に作用する磁力を利用している。このため、本体２及び保持部材６に用いる材質としては、特段の制限はなく、各種金属、プラスチック、セラミックス、木材等を幅広く用いることができる。
【００２０】
筒状部４を本体２から突設させて設ける手段としては、特段の制限はなく、例えば、接着剤を用いた接着、ろう付け、溶接、機械的な締結、一体成形等の手段を適宜用いることができる。
【００２１】
ここで、図２は、図１における本体２を示すものである。上述の通り、本体２には取付部である筒状部４が突設されており、筒状部４の内側に本体用磁石８が固定されている。
【００２２】
また、図３は、図１における保持部材６を示したものである。保持部材６は円盤状の上部と円筒状の下部とを有するキャップ状であり、下部の円筒状部分の外径は本体２における筒状部４の内径よりも小さくなっている。保持部材６の下部の円筒状部分の内部には保持部材用磁石１０が固定されている。
【００２３】
保持部材６の下部の円筒状部分の長さは、筒状部４に固定された本体用磁石８の表面に、保持部材６の下部の円筒状部分の末端が略接触する程度に調節されていることが好ましい。
【００２４】
図４は、第一の実施形態における、装飾体１２を取り付けた装飾品を示している。装飾体１２は、例えば、ビーズ素材で構成されていて種々の装飾が施されており、本体２と保持部材６との間に固定されている。装飾体１２は、本体２と保持部材６との間に生じる磁力を利用して固定されているため、装飾体１２自体が磁性を有している必要はない。
【００２５】
装飾体１２は筒状部４の外径よりも大きな貫通孔（穴）を有し、筒状部４が装飾体１２の貫通孔に挿入された状態で、装飾体１２が本体２に固定されることが好ましいが、その他の態様で固定されてもよい。例えば、装飾体１２が凹部（乃至は切欠部）を有し、当該凹部に筒状部４を当接させてもよく、装飾体１２を二分割し、当該二分割された装飾体１２で筒状部４を挟み込んでもよい。
【００２６】
本実施形態の装飾品においては、本体用磁石８と保持部材用磁石１０との磁気的な固着によって、本体２に設けられた取付部である筒状部４に、種々の態様を有する装飾体１２を、脱着自在に取り付けることができる。したがって、種々の態様を有する装飾体１２に容易に交換可能である。
【００２７】
また、本体２に設けられた取付部が筒状部４であることから、貫通孔を有する装飾体１２を筒状部４に差し込むことができ、筒状部４の長さ方向に対する略垂直な方向においては、装飾体１２の動きを抑制して本体２に強固に保持させることができる。
【００２８】
≪第二実施形態≫
図５は、第二実施形態における、本体２に保持部材６が固着した状態の装飾品を示している。また、図６は、保持部材６を取り外した状態の装飾品、図７は、保持部材６をそれぞれ示している。本実施形態においては、筒状部４が本体２とは別途の部材として本体２の内側から勘合されて取り付けられて固定されている以外は、上記第一実施形態と同様である。
【００２９】
≪第三実施形態≫
図８は、第三実施形態における、本体２に保持部材６が固着した状態の装飾品を示している。また、図９は、保持部材６を取り外した状態の装飾品、図１０は、保持部材６をそれぞれ示している。本実施形態においては、保持部材６の内径が筒状部４の外径よりも大きく、保持部材６が筒状部４に覆い被さる状態で固定されている以外は、第一実施形態と同様である。
【００３０】
≪第四実施形態≫
図１１は、第四実施形態における、本体２に保持部材６が固着した状態の装飾品を示している。また、図１２は、保持部材６を取り外した状態の装飾品、図１３は、保持部材６をそれぞれ示している。本実施形態においては、本体２に取付部である円柱状の突起部１４が一体的に設けられている。突起部１４の材質は特に制限されず、装身具本体２と同じであっても異なっていてもよい。なお、突起部１４及び保持部材６の横断面は、円、三角形、正方形、長方形、星形等であってもよいが、ここでは、円であるものとして説明する。
【００３１】
保持部材６の内径は突起部１４の外径よりも大きく、保持部材６は突起部１４に覆い被さる状態で固定される。また、本体２の表面において、突起部１４の下部周辺にはリング状の本体用磁石８が埋設されており、保持部材６が本体２に固定された状態で本体用磁石８と対向する保持部材６の底面（円筒状部分の下端部）には、保持部材用磁石１０が設置されている。ここで、本体用磁石８及び保持部材用磁石１０は、いずれか一方が磁石であればよく、他方は当該磁石が固着し得る磁性体であればよい。その他においては、第一実施形態と同様である。
【００３２】
≪第五実施形態≫
図１４は、第五実施形態における、本体２に保持部材６が固着した状態の装飾品を示している。また、図１５は、保持部材６を取り外した状態の装飾品、図１６は、保持部材６をそれぞれ示している。本実施形態においては、筒状部４と保持部材６との内径及び外径が略同一であり、筒状部４の上端面と保持部材６の下端面とが当接構造を形成する態様で固定されている以外は、第一実施形態と同様である。
【００３３】
≪第六実施形態≫
図１７は、第六の実施形態における、本体２に保持部材６が固着した状態の装飾品を示している。また、図１８は、保持部材６を取り外した状態の装飾品、図１９は、保持部材６をそれぞれ示している。本実施形態においては、筒状部４の外径と保持部材６の内径とが略同一であり、筒状部４に内蔵されている本体用磁石８の上面には凹状加工が施され、保持部材６に内蔵されている保持部材用磁石１０の下面には凸状加工が施されており、当該凹凸が勘合することで本体２に対する保持部材６の固着力が増大している。その他においては、第一実施形態と同様である。
【００３４】
以上、本考案の代表的な実施形態について説明したが、本考案はこれらのみに限定されるものではなく、種々の設計変更が可能である。例えば、上記実施形態においては、筒状部４と保持部材６とが磁石の磁力による固着力のみで結合する場合について説明したが、この結合を補完する構造を採用してもよい。
【００３５】
例えば第一実施形態や第二実施形態においては、筒状部４の内周の少なくとも一部（例えば上端部分）と、保持部材６（円筒状部分）の外周の少なくとも一部（例えば根元部分）と、にネジ溝を設け、当初は磁石の磁力により固着させておき、最終的には、磁力に加えて、ネジ締め力で固着させてもよい（図１及び図５参照）。
【００３６】
また、例えば第三実施形態においては、筒状部４の外周の少なくとも一部（例えば根元部分）と、保持部材６（円筒状部分）の内周の少なくとも一部（例えば中間部分）と、にネジ溝を設け、当初は磁石の磁力により固着させておき、最終的には、磁力に加えて、ネジ締め力で固着させてもよい（図８参照）。
【００３７】
更に、例えば第四実施形態においては、突起部１４の外周の一部（例えば上端部分）と、保持部材６（円筒状部分）の内周の少なくとも一部（例えば根元部分）と、にネジ溝を設け、当初は磁石の磁力により固着させておき、最終的には、磁力に加えて、ネジ締め力で固着させてもよい（図１１参照）。
【００３８】
また、例えば第五実施形態においては、筒状部４の上端面と、保持部材６（円筒状部分）の上端面と、にネジ溝を設け、当初は磁石の磁力により固着させておき、最終的には、磁力に加えて、ネジ締め力で固着させてもよい（図１４参照）。
【００３９】
更に、例えば第六実施形態においては、筒状部４の外周の少なくとも一部（例えば上端部分）と、保持部材６（円筒状部分）の内周の少なくとも一部（例えば中間部分）と、にネジ溝を設け、当初は磁石の磁力により固着させておき、最終的には、磁力に加えて、ネジ締め力で固着させてもよい（図１７参照）。
【符号の説明】
【００４０】
２・・・装身具本体、
４・・・筒状部、
６・・・保持部材、
８・・・本体用磁石、
１０・・・保持部材用磁石、
１２・・・装飾体、
１４・・・突起部。
【図１】
0003181076.tif 000003
【図２】
0003181076.tif 000004
【図３】
0003181076.tif 000005
【図４】
0003181076.tif 000006
【図５】
0003181076.tif 000007
【図６】
0003181076.tif 000008
【図７】
0003181076.tif 000009
【図８】
0003181076.tif 000010
【図９】
0003181076.tif 000011
【図１０】
0003181076.tif 000012
【図１１】
0003181076.tif 000013
【図１２】
0003181076.tif 000014
【図１３】
0003181076.tif 000015
【図１４】
0003181076.tif 000016
【図１５】
0003181076.tif 000017
【図１６】
0003181076.tif 000018
【図１７】
0003181076.tif 000019
【図１８】
0003181076.tif 000020
【図１９】
0003181076.tif 000021